(57)【要約】【課題】  文字基板の上面に指標部品を備える表示板において、高級貴石入台座部品に替わる指標部品を貴石風な仕様に形成することで、低価格で高級感と仕様の多様化を可能とした表示板を提供する。【解決手段】  指標部品１３は指標基板１３ｂとその上面に光透過性装飾部材１３ａ（透明樹脂、着色透明樹脂、透明硝子、着色透明硝子など）から成り、指標基板１３ｂには貴石カット形状のカット模様が施され、指標基板１３ｂと光透過性装飾部材１３ａには、表面処理が施されていることを特徴とし、大量生産が可能であるので、低価格で品質が揃った指標部品付表示板を提供することができる。【選択図】      図１
2006208207.tif 000002
【特許請求の範囲】
【請求項１】
文字基板の上面に指標部品を備える表示板構造において、前記指標部品は指標基板とその上面に光透過性装飾部材からなり、前記指標基板にはカット模様が施され、前記指標基板または光透過性装飾部材の少なくとも一方には表面処理が施されていることを特徴とする指標部品付表示板。
【請求項２】
指標基板のカット模様は上面が貴石（風）カット形状であることを特徴とする請求項１に記載の指標部品付表示板。  
【請求項３】
指標基板の上面にある光透過性装飾部材は、透明樹脂、着色透明樹脂、透明硝子または着色透明硝子の中の少なくとも１つであることを特徴とする請求項１記載の指標部品付表示板。
【請求項４】
光透過性装飾部材の透明樹脂または着色透明樹脂は、樹脂上面にカット模様が施されていることを特徴とする請求項１または請求項３記載の指標部品付表示板。
【請求項５】
光透過性装飾部材の透明樹脂または着色透明樹脂は、金属調の微細ラメ、パール剤または偏光パール剤の中の少なくとも１つが樹脂材に混入して成ることを特徴とする請求項１、請求項３または請求項４記載の指標部品付表示板。
【請求項６】
光透過性装飾部材の透明樹脂または着色透明樹脂は、紫外線硬化型、熱硬化型または２液反応硬化型の中の少なくとも１つから成ることを特徴とする請求項１、請求項３、請求項4または請求項5記載の指標部品付表示板。
【請求項７】
表面処理は、湿式メッキ、乾式メッキ、印刷または塗装の中の少なくとも１つから成ることを特徴とする請求項１記載の指標部品付表示板。
【請求項８】
表面処理により、指標基板または光透過性装飾部材の表面に、金属装飾被膜が施されていることを特徴とする請求項１または請求項7記載の指標部品付表示板。 
【発明の詳細な説明】
【技術分野】
【０００１】
本発明は文字基板の上面に指標部品を備えた表示板で、時計用文字板、計器用表示板に関する。
【背景技術】
【０００２】
ここでは表示板製品の代表例として時計用文字板を例に説明する。従来から腕時計などの携帯時計では文字板の表面に時刻を示す位置に時字として、指標部品または台座に貴石を組み込んだ貴石入台座部品を備えたものがある。このような貴石入台座部品は、貴石そのものが高価であるので比較的高級ランクに属する時計に用いられることが多い。
【０００３】
図１１は従来の貴石入台座部品付き時計用文字板３０の斜視図である。図１２は図１１の文字板の中央の断面図を示したものである。この時計用文字板３０は、文字基板３１と、文字基板３１の上面の一部時字に貴石入台座部品３６を配設し、残りの時字に印刷などで形成された時字３４を配設している。
【０００４】
ここで、文字基板３１の製造方法を説明する。文字基板３１は、真鍮や洋白等の金属板の下面に時計用のムーブメントブロックに固定するためのエト足３５が２本、溶接などの方法で固定されている。中央部には指針を貫通するための中心孔３２が設けられている。文字基板３１の表面にはメッキや塗装などの表面処理が施されおり、仕様によりブランド名などを印刷方法などで形成されている。
【０００５】
貴石入台座部品３６は、台座部３６ｂと貴石３６ａで構成され、前記台座部３６ｂは真鍮などの金属を切削加工して形成され、湿式メッキなどの表面処理を施し、台座部サイズに合った貴石３６ａを上から組み込み、専用冶具で押さえ爪にて貴石をカシメ固定している。
【０００６】
貴石入台座部品３６は、その足部を文字基板３１の固定穴に嵌着し、曲がりなどの方向を直し、裏面側より接着剤等の方法で文字基板３１に固定されている。
【０００７】
また、従来の時計用文字板の指標部品に樹脂を凸形状に用いた例として、弊社出願の特開平１０−１３２９５９号公報記載の構造が開示されている。
【０００８】
【特許文献１】特開平１０−１３２９５９号公報
【０００９】
特許文献１に開示されたところの製造方法で形成した透明樹脂体を備えた時計用文字板４０の概要を説明する。図１３は透明樹脂体を備えた時計用文字板４０の斜視図である。時計用文字板４０は文字基板４１と透明樹脂体４３と印刷で形成した時字４４で構成される。文字基板４１の表面に印刷で数字時字４３ａ（１２，３，６，９）を形成し、各数字時字の外周をメッキまたは印刷手法でリング状に囲んだリング部４３ｂを設け、前記リング部４３ｂ内に紫外線硬化性樹脂を滴下する。滴下された樹脂は表面張力および樹脂の粘度、樹脂の滴下量により甲丸凸状の形状となる。前記凸状の樹脂に紫外線を照射することにより樹脂部は硬化し、時字の上に甲丸凸状の透明樹脂体が形成される。甲丸凸状に形成された透明樹脂体は、透明のレンズ状を成し、屈折率により数字時字３３ａは拡大して目視できる効果を持っている。
【発明の開示】
【発明が解決しようとする課題】
【００１０】
前記背景技術で述べた、貴石入台座部品３６を備えた時計用文字板３０は、貴石３６ａそのものが高価であり、流通されている種類や色調は限定される。さらに時計用文字板に用いる貴石はその大きさや形状、色調にばらつきがあり、台座部３６ｂに組み込むことを想定して、大きさ、形状、色調の規格を揃えると高額な貴石となってしまう。従って貴石入台座部品３６は高級時計用文字板に用いられている。また、貴石入台座部品３６は貴石の形状から他の指標部品に比べその構造上の高さが高く、また、貴石の大きさに合った台座部サイズを組み合わせることになるため、使用条件が限られていたなどの問題があった。
【００１１】
また、従来例で取り上げた特許文献１の透明樹脂体を備えた時計用文字板４０は、透明樹脂体４３を用いた数字時字４３ａを、透明甲丸の凸型状のレンズ効果で、数字を拡大して見せ、立体的に視認性を向上させることを特徴としているものだが、数字時字４３ａは拡大するが、内部を立体的に表現するには限度があり、また文字基板上の平面にリング部４３ｂと透明樹脂４３で凸状を形成しているので、単純な甲丸凸状であるので文字板の平面感は残り、全体的に立体感に乏しい表現となっている。
【００１２】
本発明の目的は以上のような課題を解決しようとするもので、部品サイズ、高さ、色調、カット模様等を自在に刻設でき、さらに簡易な手法で大量生産を可能とし、コストを押さえた貴石を用いないで貴石風にカット模様が見られる指標部品を作製し、該指標部品を一体と配設した時計用文字板または計器用表示板を提供するものである。
【課題を解決するための手段】
【００１３】
本発明は以上のような従来の課題を解決するため、さらに本願発明の目的を達成するために成されたもので、本発明の請求項１に記載に係る指標部品付表示板１０は、文字基板１１の上面に指標部品１３を備える表示板構造において、前記指標部品１３は指標基板１３ｂとその上面に光透過性装飾部材１３ａからなり、前記指標基板にはカット模様１３ｃが施され、前記指標基板または光透過性装飾部材の少なくとも一方には表面処理が施されていることを特徴とするものである。
【００１４】
次に、本発明の請求項２記載に係る指標部品付表示板は、指標基板１３ｂのカット模様１３ｃは上面が貴石（風）カット形状であることを特徴とするものである。図４は貴石（宝石）カット形状の代表例を図（上面図）で示したもので、貴石（風）カット形状にすることで、貴石入台座部品であるかのように見える。
【００１５】
次に、本発明の請求項３記載に係る指標部品付表示板は、指標基板１３ｂの上面にある光透過性装飾部材１３ａは、透明樹脂、着色透明樹脂、透明硝子または着色透明硝子の中の少なくとも１つであることを特徴とするものである。上面に載せる光透過性部材１３ａの材質、色調を変えることで仕様表現の選択肢が広がり、さらに前記カット模様１３ｃと組み合わされた表現は拡大する。
【００１６】
次に、本発明の請求項４記載に係る指標部品付表示板は、光透過性装飾部材１３ａの透明樹脂または着色透明樹脂は、樹脂上面に樹脂カット模様１３ｄが施されていることを特徴とするものである。図８Ａと図８Ｂは指標基板１３ｂ上面の樹脂にカット模様を施す完成図を示す。前記樹脂が硬化後、専用切削工具でカットを施すことで、樹脂カット模様１３ｄが形成される。
【００１７】
次に、本発明の請求項５記載に係る指標部品付表示板は、光透過性装飾部材１３ａの透明樹脂または着色透明樹脂は、金属調の微細ラメ、パール剤または偏光パール剤の中の少なくとも１つが樹脂材に混入して成ることを特徴とするものである。
【００１８】
次に、本発明の請求項６記載に係る指標部品付表示板は、光透過性装飾部材１３ａの透明樹脂または着色透明樹脂は、紫外線硬化型、熱硬化型または２液反応硬化型の中の少なくとも１つから成ることを特徴とするものである。前記樹脂材の透明度、色調、粘度、滴下量、表面張力、硬化速度、密着性等の条件から、樹脂材の種類および硬化条件を選定する。
【００１９】
次に、本発明の請求項７記載に係る指標部品付表示板は、表面処理は、湿式メッキ、乾式メッキ、印刷または塗装の中の少なくとも１つから成ることを特徴とするものである。主に湿式メッキ手法と乾式メッキ手法が用いられるが、仕様により印刷手法または塗装手法を加えることも可能である。
【００２０】
次に、本発明の請求項８記載に係る指標部品付表示板は、表面処理により、指標基板１３ｂまたは光透過性装飾部材１３ａの表面に、金属装飾被膜が施されていることを特徴とするものである。指標基板１３ｂは、主に湿式メッキ手法による金系メッキ、白系メッキ（ロジウムメッキ等）や乾式メッキ手法（蒸着手法）による貴金属の被膜を施すことで、それぞれ異なる仕上がりとなる。また、光透過性装飾部材１３ａへは、乾式メッキ手法で半透明となる被膜を施し、半透明な表現を加えることができる。
【発明の効果】
【００２１】
以上のように本発明に係る指標部品付表示板によれば、請求項１の効果は図１の本発明に係る時計用文字板の斜視図に示すように、指標部品１３を時計用文字板１１に備えることで、貴石入台座部品の表現が可能となり、貴石の大きさ、高さ、色調の表現が指標基板１３ｂと光透過性装飾部材１３ａとの仕様の組み合わせにて自由に設定でき、また指標部品の立体感を強調して表現できる。同じ貴石表現を示した時、指標基板１３ｂの厚さを薄くし、カットを浅くし、光透過性装飾部材１３ａのレンズ効果を利用することから、貴石入台座部品に比べ、構造上の高さを低くすることができる。
【００２２】
また、本発明の請求項２は、指標基板１３ｂのカット模様１３ｃに貴石（風）カット形状に施すことを特徴としており、指標基板の上面を図４の貴石カット形状の代表例を示す図に示すような代表的な（Ａ）のラウンド・ブリリアン・カットや（Ｂ）のジルコン・カット、（Ｄ）のシングル・カットなど一般的な貴石（宝石）カット形状にすることで、実際の貴石に近い形を表現すことができる効果がある。
【００２３】
また、本発明の請求項３は、前記光透過性装飾部材１３ａに透明樹脂、着色透明樹脂、透明硝子または着色透明硝子の中の少なくとも一つが備えていることを特徴としており、これは高価な貴石の色調に近い色調で、例えば、ダイヤ、ルビー、エメラルド、ブルーサファイア、トパーズ等の色調で装飾することが可能となる。これらを用いることでコストを押さえた低価格の指標部品１３が可能となる。
【００２４】
また、本発明の請求項４は、前記光透過性装飾部材１３ａの透明樹脂または着色透明樹脂の樹脂上面にカット模様を施すことを特徴としており、前記樹脂上面にカット模様を施すことで、外光から入射した光は、カット面に反射し輝く光と、樹脂内に透過して進み指標基板１３ｂのカット模様１３ｃに反射して輝く光となり、相乗した輝きが得られる効果がある。
【００２５】
また、本発明の請求項５は、前記光透過性装飾部材１３ａの透明樹脂または着色透明樹脂の樹脂材に金属調の微細ラメ１３ｅ、パール剤または偏光パール剤の中の少なくとも１つが混入して形成されていることを特徴としており、樹脂材に金属調の微細ラメ１３ｅ、パール剤や偏光パール剤が混入されることにより、外光から入射した光は、透過性樹脂材を進入し透過光となり、樹脂内に散乱した金属調の微細ラメ1３ｅ、パール剤または偏光パール剤に反射し、さまざまな方向へ輝き、貴石に類似した視覚効果を現す。
【００２６】
また、本発明の請求項６は、前記光透過性装飾部材１３ａの透明樹脂または着色透明樹脂は、紫外線硬化型、熱硬化型または２液反応硬化型の中の少なくとも１つから成ることを特徴としており、これは前記樹脂の種類を樹脂の透明度、色調、滴下量、粘度、表面張力、硬化速度、密着性などの特性から適宜に選択し、光透過性装飾部材１３ａの条件である、透過性と密着性が有り甲丸の凸形状を形成する効果がある。
【００２７】
また、本発明の請求項７は、指標部品１３に形成された表面処理は、湿式メッキ（膜）、乾式メッキ（膜）、印刷または塗装の中の少なくとも１つから成ることを特徴としており、これは指標基板１３ｂまたは光透過性装飾部材１３ａの表面に前記手法をもって装飾を施し、仕様および色調の表現を多様化し、カラーバリエーションを拡大する効果がある。
【００２８】
また、本発明の請求項８は、指標部品１３の指標基板１３ｂおよび光透過性装飾部材１３ａの表面に、金属装飾被膜が施されていることを特徴としており、これは指標基板１３ｂや光透過性装飾部材１３ａの表面に貴金属色（金色、銀色）や半透明の金属調膜を湿式メッキ手法や乾式メッキ手法で施すことで、輝かしさを表現し、また、乾式メッキ手法（蒸着手法）で光透過性装飾部材１３ａに半透明の金属調被膜を表面に施すことにより、輝きの中に内部を透過する深みを持った表現を可能とする効果がある。
【００２９】
本発明のさらなる効果として、指標部品付表示板は製作工程が短く、且つ大量生産が可能な方法で製作することができる。また、貴石を用いた場合に生じる大きさ、形状、色調のバラツキによる問題が無く、指標部品付表示板を安いコストで提供できる効果がある。
【発明を実施するための最良の形態】
【００３０】
実施例１として図1、図２、図３、図４および図５に基づいて本発明の、貴石風指標部品を備えた表示板である、時計用文字板で実施の形態を説明する。図１は本発明に係る時計用文字板の斜視図、図２は図１の断面図を示し、図３Ａは本発明の指標部品を拡大した上面図で、図３Ｂは図３Ａの側面図を示す。図１において、本実施形態に係る時計用文字板１０は、文字基板１１、指標部品１３および時字１４から構成され、文字基板１１の上面の時刻を示す位置に指標部品１３と時字１４が固定された構造を取る。図１および図２では時字１４は甲丸形状の指標を用いたが、従来技術の時計用文字板３０で説明した印刷などの手法で時字３４を形成することも可能である。
【００３１】
文字基板１１の構成を説明する。文字基板１１は、真鍮や洋白等の金属板が基板として使用され、その下面には時計用のムーブメントブロックに固定するためのエト足１５が２本、溶接などの方法で固定されている。中央部には指針を取付けるための中心孔１２が設けられている。文字基板１１の表面にはメッキや塗装などの表面処理が施されおり、仕様によりブランド名などを印刷方法などで形成されている。
【００３２】
図１で示すように、本実施形態の指標部品１３は時計用文字板のデザインおよび設計に従い、位置、大きさ、高さ、色調、カット模様等が決められ、必要箇所に設けられている。
【００３３】
指標部品１３の構成について説明する。指標部品１３は指標基板１３ｂと光透過性装飾部材１３ａで構成される。前記指標基板１３ｂは上面にカット模様１３ｃが施され、裏面に取り付け部１３ｆで形成されている。
【００３４】
前記カット模様１３ｃは本発明の請求項２で貴石（風）カット形状に施すことを特徴としている。図４は貴石（宝石）カット形状の代表例を示したもので、（Ａ）ラウンド・ブリリアン・カット、（Ｂ）ジルコン・カット、（Ｃ）オールド・ヨーロピアン・カット、および（Ｄ）シングル・カットは一般的な貴石（宝石）や硝子アクセサリー等に用いられるカット形状である。
【００３５】
指標基板１３ｂは、真鍮などの棒材をＮＣ自動旋盤で指定された形状をプログラムにより、外形加工、模様加工および取り付け部加工などの順で、構成された形状に切削加工して形成される。切削工具にはダイヤモンドチップバイトが取り付けてあり、形成された面は鏡面状に輝く面状態となる。特に貴石風カット形状は、従来時計用文字板に取り付ける一般的な棒時字や丸型甲丸時字などと比べると、形状としては多面で構成され複雑であるが、規則性を成す面の組み合わされた形状なので、プログラムによりＮＣ自動旋盤で大量生産が可能となり、プログラムでカット模様を容易に変更することが可能となり、仕様の多様化が実現できる。
【００３６】
次に、前記切削加工で形成された指標基板１３ｂは湿式メッキ手法または乾式メッキ手法で貴金属調の表面処理を行い、表面に金属装飾被膜を施す。また、仕様により、前記金属被膜形成後、印刷や塗装で指標基板１３ｂの部分または全面にカラー被膜を施すことも可能である。
【００３７】
次に、完成した指標基板１３ｂは、その上面に光透過性装飾部材１３ａの加飾を施す。ここでは、紫外線硬化型の透明樹脂または着色透明樹脂を用いた例で説明する。前記指標基板１３ｂを専用治具に固定し、指標基板上面に前記樹脂材をディスペンサー等で所定量滴下する。この場合、滴下量は指標基板の上面に、甲丸状の凸形状に盛り上がるように塗布されることが、望ましいが、滴下量が多くなると外形の端より液ダレが起こり、凸形状が低いものとなるので、条件として樹脂材の粘度が高いものが良い。
【００３８】
次に、指標基板１３ｂの上面に凸形状に形成された樹脂（１３ａ）に紫外線を照射し、硬化させ形状を固めることで、指標部品１３は完成する。
【００３９】
次に、完成した指標部品１３は、文字基板１１の時刻を示す位置に施された指標固定穴１１ａに指標部品の取り付け部１３ｆを合わせ、方向を決め文字基板１１の裏面側よりカシメまたは接着剤等で固定し、時計用文字板１０が完成する。なお、前記形成方法は指標部品を完成させ、文字基板１１に固定する方法を用いたが、指標基板１３ｂを文字基板１１に配置し、固定後に指標基板１３ｂの上面に樹脂１３ａを滴下し、紫外線を照射し硬化する方法も可能である。
【００４０】
次に、実施例２として、図７、図８Ａおよび図８Ｂに基づいて、本発明の請求項４の実施の形態を説明する。実施例１と同じ部分については、同じ符号を付して示す。請求項４で形成する指標部品５３は、指標基板１３ｂと樹脂部５３ｈから成り、樹脂部にカットを施し樹脂カット模様５３ｄを形成することを特徴としている。図７は指標基板１３ｂの上面に樹脂部５３ｈを設ける形成図（断面図）を示す。図８Ａは樹脂部５３ｈへ樹脂カット模様５３ｄを施した上面図で、図８Ｂは図８Ａの側面図を示す。指標基板１３ｂの表面処理を施すまでの形成方法は実施例１で説明した内容と同様である。
【００４１】
図７において、表面処理までを完了した指標基板１３ｂを固定治具１６に固定し、さらに指標基板の外形形状に合わせた樹脂形成枠体（筒）１７を合わせ固定する。樹脂形成枠体１７に透明樹脂または着色透明樹脂を所要量滴下する。
【００４２】
次に、滴下された樹脂部５３ｈに対し、上面より紫外線（ＵＶ）を照射し硬化させる。硬化後、外枠の樹脂形成枠体１７を外す。
【００４３】
次に、樹脂部５３ｈが形成された指標基板１３ｂをＮＣダイヤカット装置に固定し、切削工具の先端にダイヤモンドチップバイトを取り付け、ＮＣプログラムにより、切削工具を高速で回転させ樹脂部５３ｈに当て、角度を振りながら、鏡面状にカットを施す。樹脂部５３ｈに樹脂カット模様５３ｄが形成される。
【００４４】
以上で、樹脂カット模様が施された指標部品５３が完成する。図８Ａ（上面図）、図８Ｂ（側面図）は樹脂部カット後の完成形状を示す。完成した前記指標部品５３の文字基板１１への取り付け方法は実施例１で説明した内容と同様である。樹脂部にカット模様を施すことで、携帯時計に入射された光は樹脂カット面で反射光となり輝く、また樹脂内部に施されたカット模様１３ｃのカット面で生じる反射光と相乗し、二重の光反射効果が現れる。
【００４５】
実施例２で、指標基板５３に樹脂５３ｈを形成し、樹脂上面をカットして樹脂カット模様５３ｄを形成する手法を用いたが、もう一つの手法として、模様を施した成形型を光透過性素材で作製し、指標基板１３ｂに型を合わせ、型に紫外線硬化樹脂を注入し、紫外線を照射し、透過光で硬化させ指標基板１３ｂの上面に透明系樹脂で模様を形成する成形手法がある。
【００４６】
成形手法による構成を説明する。図９に示すように、光透過性素材を用いて型の内部に模様を施した模様形成型１８を作成する。指標基板１３ｂを固定治具１６へ合わせ固定する。固定された前記指標基板１３ｂに前記模様形成型１８を合わせ固定する。前記模様形成型１８に紫外線硬化型の透明樹脂または着色透明樹脂を注入する。次に型の外側より紫外線を照射し、透過した紫外線により、前記透明樹脂または着色透明樹脂を型に施した模様に転写し、硬化させる。前記模様形成型１８を指標基板１３ｂより外す。 指標基板１３ｂの上面に樹脂模様形成体１９が形成される。この形成手法は、多数個成形型を作製することにより、簡易な方法で大量生産が可能となる。
【００４７】
次に、実施例３として、指標部品６３の特殊形状として、図６Ａおよび図６Ｂに示す台座風指標部品の説明を行う。図６Ａは台座風指標部品の上面図で、図６Ｂは図６Ａの側面図を示す。台座風指標部品は図に示すように、指標基板６３ｂと光透過性装飾部材６３ａで構成される。擬似貴石固定爪６３ｇを指標基板６３のコーナー４箇所に配置し、指標基板の中央位置には前記光透過性装飾部材６３ａとして透明樹脂または着色透明樹脂を甲丸状に滴下し、紫外線で硬化する。また、透明硝子または着色透明硝子を甲丸状または貴石風カット形状に形成したものを、接着剤等で固定、配置することも可能である。この台座風指標部品も有力な擬似貴石入台座部品として表現することができ、デザイン・バリエーションの拡大になる。
【００４８】
前記実施例１における指標部品１３は、図１、図３Ａおよび図４に示すような指標部品の外形が丸型形状で現しているが、これは一般的な形状を示すもので、丸型タイプに限定されるものでは無く、図５に示すような角型タイプ、例えば四角形型、八角形型または四角形コーナーＲ型などの異形型タイプの形状にも適用できるものである。また、前記実施例２における指標基板１３ｂにはカット模様１３ｃを施した例を示したが、指標基板の上面が平坦で鏡面状を形成した形状であっても、前記形成方法により樹脂カット模様を施すことは可能であり、樹脂部をカットした効果が現れる。
【００４９】
実施例４として、図１０Ａおよび図１０Ｂに基づいて、本発明の請求項５の実施の形態を説明する。光透過性装飾部材の他は実施例１と同じであるので、同じ符号を付けて説明する。図１０Ａは前記光透過性装飾部材１３ａの透明樹脂または着色透明樹脂に金属調の微細ラメ１３ｅが混入して形成した上面図で、図１０Ｂは図１０Ａの側面図を示す。本発明の請求項５で、指標基板１３ｂ上面に形成する前記光透過性装飾部材１３ａの透明樹脂または着色透明樹脂で、樹脂材に金属調の微細ラメ１３ｅ、パール剤または偏光パール剤を混入して形成していることを特徴としている。
【００５０】
ここでは樹脂への混入に金属調の微細ラメを例に説明する。図１０Ａおよび図１０Ｂに示すように、これは樹脂滴下加工において施される仕様で、前記紫外線硬化型の透明樹脂または着色透明樹脂に金属調の微細ラメ１３ｅを配合して、前記微細ラメ１３ｅが配合された樹脂材をディスペンサー等で所定量滴下し、紫外線を照射して微細ラメ１３ｅが混入された状態で硬化させて、形状を固める手法である。微細ラメ１３ｅの大きさと配合量は、指標部品の大きさ、色調、樹脂滴下量、甲丸凸形状に合わせたサイズに、調整し、選定することが必要となる。外部より入射した光は微細ラメ１３ｅに反射して、さまざまな方向へ輝く効果があり、前記微細ラメの他に、パール剤、偏光パール剤を使用しても同様にパール色状の輝きを反射する効果がある。前記パール剤としては、メルクジャパン社製、商品名：イリオジン１００、２００、３００、５００シリーズの中より選定し、配合量を調整し用いる。
【００５１】
これまで説明してきた、指標部品および指標部品を備えた表示板は、貴石風表現が大きさ、形状、色調のバラツキがなく、安価に生産できる。本発明は時計用文字板にて示したが、産業用、民生用のあらゆる機器、計測器等においても全く同様の効果を示す。
【図面の簡単な説明】
【００５２】
【図１】本発明に係る時計用文字板の斜視図である。
【図２】図１の断面図である。
【図３Ａ】本発明による指標部品の上面図である。
【図３Ｂ】図３Ａの側面図である。
【図４】貴石（風）カット形状の代表例を示した各上面図で、（Ａ）ラウンド・ブリリアン・カット、（Ｂ）ジルコン・カット、（Ｃ）オールド・ヨーロピアン・カット、（Ｄ）シングル・カットを示す。
【図５】異形形状の指標部品の各上面図で、（Ａ）四角形型、（Ｂ）八角形型、（Ｃ）四角形コーナーＲ型を示す。
【図６Ａ】実施例３の特殊形状（台座風指標部品）の上面図である。
【図６Ｂ】図６Ａの側面図である。
【図７】実施例２の樹脂部形成の断面図である。
【図８Ａ】実施例２の樹脂部にカットを施した上面図である。
【図８Ｂ】図８Ａの側面図である。
【図９】実施例２の樹脂模様を成形手法で形成する断面図である。
【図１０Ａ】光透過性装飾部材に金属調の微細ラメを混入した上面図である。
【図１０Ｂ】図１０Ａの側面図である。
【図１１】背景技術例の貴石入台座部品を備えた時計用文字板の斜視図である。
【図１２】図１０の断面図である。
【図１３】従来例の透明樹脂体を備えた時計用文字板の斜視図である。
【図１４】図１３の断面図である。
【符号の説明】
【００５３】
１０‥‥‥‥‥‥‥‥‥‥‥本発明の時計用文字板
１１、３１、４１‥‥‥‥‥文字基板
１２、３２，４２‥‥‥‥‥中心穴
１３，４３‥‥‥‥‥‥‥‥指標部品
１３ａ、６３ａ‥‥‥‥‥‥光透過性装飾部材
１３ｂ、６３ｂ‥‥‥‥‥‥指標基板
１３ｃ‥‥‥‥‥‥‥‥‥‥カット模様（貴石カット形状）
１３ｅ‥‥‥‥‥‥‥‥‥‥金属調微細ラメ
１３ｆ、６３ｆ‥‥‥‥‥‥取り付け部
１４‥‥‥‥‥‥‥‥‥‥‥時字（甲丸時字）
３４、４４‥‥‥‥‥‥‥‥時字（印刷丸時字）
１５、３５、４５‥‥‥‥‥エト足
１６‥‥‥‥‥‥‥‥‥‥‥固定治具
１７‥‥‥‥‥‥‥‥‥‥‥樹脂形成枠体（筒）
１８‥‥‥‥‥‥‥‥‥‥‥模様形成型
１９‥‥‥‥‥‥‥‥‥‥‥樹脂模様形成体
３０‥‥‥‥‥‥‥‥‥‥‥背景技術例の時計用文字板（貴石入台座部品付文字板）
３６‥‥‥‥‥‥‥‥‥‥‥貴石入台座部品
３６ａ‥‥‥‥‥‥‥‥‥‥貴石
３６ｂ‥‥‥‥‥‥‥‥‥‥台座基板
４０‥‥‥‥‥‥‥‥‥‥‥従来例の時計用文字板（透明樹脂体を備えた時計用文字板）
４３ａ‥‥‥‥‥‥‥‥‥‥数字時字
４３ｂ‥‥‥‥‥‥‥‥‥‥リング部（時字）
５３‥‥‥‥‥‥‥‥‥‥‥指標部品（樹脂部カット付指標部品）
５３ｄ‥‥‥‥‥‥‥‥‥‥樹脂カット模様
５３ｈ‥‥‥‥‥‥‥‥‥‥樹脂部
６３‥‥‥‥‥‥‥‥‥‥‥指標部品（台座風指標部品）
６３ｇ‥‥‥‥‥‥‥‥‥‥擬似貴石固定爪
【図１】
2006208207.tif 000003
【図２】
2006208207.tif 000004
【図３Ａ】
2006208207.tif 000005
【図３Ｂ】
2006208207.tif 000006
【図４】
2006208207.tif 000007
【図５】
2006208207.tif 000008
【図６Ａ】
2006208207.tif 000009
【図６Ｂ】
2006208207.tif 000010
【図７】
2006208207.tif 000011
【図８Ａ】
2006208207.tif 000012
【図８Ｂ】
2006208207.tif 000013
【図９】
2006208207.tif 000014
【図１０Ａ】
2006208207.tif 000015
【図１０Ｂ】
2006208207.tif 000016
【図１１】
2006208207.tif 000017
【図１２】
2006208207.tif 000018
【図１３】
2006208207.tif 000019
【図１４】
2006208207.tif 000020